(57)【要約】      （修正有）【課題】全体の長さを伸縮調整できるようにしたウォーキングステッキ１において、使用者が簡単かつ確実に身長に合った長さに調整できるウォーキングステッキを提供する。【解決手段】上部シャフト２に出没自在に連結される下部シャフト３に、身長に対応するウォーキングステッキの最適な長さの目安となる数値を表示した目盛６を付した構成とする。この目盛６に合わせて上部シャフト２に対し下部シャフト３をスライドさせて伸縮調整を行うことにより、簡単かつ確実にウォーキングステッキ１の長さを身長に合った最適の長さに調整することができる。さらに上部シャフト２には、身長に対応するウォーキングステッキの最適な長さの参考数値を表示した表示部７を設ける。この表示部７に表示された参考数値を参照し、それに合わせて伸縮調整を行うことで、より正確にウォーキングステッキ１の長さを身長に合った最適の長さに調整することができる。【選択図】  図１
2007082810.tif 000002
【特許請求の範囲】
【請求項１】
グリップが取り付けられる上部シャフトと、この上部シャフトに出没自在に連結される下部シャフトと、を有し、全体の長さを伸縮調整できるようにしたウォーキングステッキにおいて、上記下部シャフトに、身長に対応するウォーキングステッキの最適な長さの目安となる数値を表示した目盛を付したことを特徴とするウォーキングステッキ。
【請求項２】
グリップが取り付けられる上部シャフトと、この上部シャフトに出没自在に連結される下部シャフトと、を有し、全体の長さを伸縮調整できるようにしたウォーキングステッキにおいて、上記下部シャフトに、ウォーキングステッキの長さの目安となる目盛を付すと共に、上記上部シャフトに、身長に対応するウォーキングステッキの最適な長さの参考数値を表示したことを特徴とするウォーキングステッキ。
【発明の詳細な説明】
【技術分野】
【０００１】
本発明は歩行補助用のウォーキングステッキに関し、特に使用者の身長に応じて全体の長さを伸縮調整できるようにしたウォーキングステッキに係るものである。
【背景技術】
【０００２】
一般に歩行補助用のウォーキングステッキにおいては、使用者の身長に応じて全体の長さを伸縮調整できるようにしたものが広く普及している。このような伸縮調整型のウォーキングステッキの一例を図４に示す。即ちこのウォーキングステッキ１は、上部シャフト２と下部シャフト３とで構成される２段構造のシャフトを有し、使用者は上部シャフト２の上端に取り付けられたグリップ４を手で握り、下部シャフト３の下端に取り付けられた緩衝部材５で地面を突きながら歩行するものである。
【０００３】
このウォーキングステッキ１において上部シャフト２と下部シャフト３は何れもパイプ状体で構成され、上部シャフト２の内空部に下部シャフト３が出没自在に挿入連結されており、この下部シャフト３を上部シャフト２に対しスライドさせることによってウォーキングステッキ１の全体の長さを伸縮調整することができる。さらに上部シャフト２と下部シャフト３の間には摩擦ロック機構が組み込まれており、ウォーキングステッキ１を任意の長さに伸縮調整したところで上部シャフト２に対し下部シャフト３を軸回り方向に回すことで上部シャフト２と下部シャフト３の間で摩擦ロックが行われ、これによってウォーキングステッキ１はその長さで固定される。
【発明の開示】
【発明が解決しようとする課題】
【０００４】
しかしながら、上記のような従来の伸縮調整型のウォーキングステッキでは、使用者はどれくらいの長さが最適な長さであるのかを判断することが難しく、勘で長さを調整しているのが実情であり、調整が面倒であるという問題があった。
本発明は斯かる点に鑑みてなされたもので、使用者が簡単かつ確実に身長に合った長さに伸縮調整することのできるウォーキングステッキを提供することを目的とする。
【課題を解決するための手段】
【０００５】
上記の目的を達成するために本発明は、グリップが取り付けられる上部シャフトと、この上部シャフトに出没自在に連結される下部シャフトと、を有し、全体の長さを伸縮調整できるようにしたウォーキングステッキにおいて、下部シャフトに、身長に対応するウォーキングステッキの最適な長さの目安となる数値を表示した目盛を付したことを特徴とするものである。
【０００６】
また本発明は、グリップが取り付けられる上部シャフトと、この上部シャフトに出没自在に連結される下部シャフトと、を有し、全体の長さを伸縮調整できるようにしたウォーキングステッキにおいて、下部シャフトに、ウォーキングステッキの長さの目安となる目盛を付すと共に、上部シャフトに、身長に対応するウォーキングステッキの最適な長さの参考数値を表示したことを特徴とするものである。
【発明の効果】
【０００７】
上記の如く構成される本発明のウォーキングステッキでは、下部シャフトに付された目盛に合わせて上部シャフトに対し下部シャフトをスライドさせて伸縮調整を行うことにより、簡単かつ確実にウォーキングステッキの長さを身長に合った最適の長さに調整することができる。
【０００８】
さらに本発明のウォーキングステッキでは、上部シャフトに表示された参考数値を参照し、それに合わせて伸縮調整を行うことで、より正確にウォーキングステッキの長さを身長に合った最適の長さに調整することができる。
【発明を実施するための最良の形態】
【０００９】
以下、図面を参照しながら本発明の実施例について詳細に説明する。
図１は本発明によるウォーキングステッキの全体構成を示す側面図である。このウォーキングステッキ１は、使用者の身長に応じて全体の長さを伸縮調整できるようにしたものであり、その基本的な構成は、前述した図４の従来例とほぼ同様である。
【００１０】
即ちこのウォーキングステッキ１は、上部シャフト２と下部シャフト３とで構成される２段構造のシャフトを有し、使用者は上部シャフト２の上端に取り付けられたグリップ４を手で握り、下部シャフト３の下端に取り付けられた緩衝部材５で地面を突きながら歩行するものである。
【００１１】
このウォーキングステッキ１において上部シャフト２と下部シャフト３は何れもパイプ状体で構成され、上部シャフト２の内空部に下部シャフト３が出没自在に挿入連結されており、この下部シャフト３を上部シャフト２に対しスライドさせることによってウォーキングステッキ１の全体の長さを伸縮調整することができる。さらに上部シャフト２と下部シャフト３の間には摩擦ロック機構が組み込まれており、ウォーキングステッキ１を任意の長さに伸縮調整したところで上部シャフト２に対し下部シャフト３を軸回り方向に回すことで上部シャフト２と下部シャフト３の間で摩擦ロックが行われ、これによってウォーキングステッキ１はその長さで固定される。
【００１２】
そして、上記の構成に加えて特に本例のウォーキングステッキ１においては、下部シャフト３に、ウォーキングステッキの長さの目安となる目盛６が付されている。この目盛６の例を図２に示す。即ちこの目盛６は、下部シャフトの軸方向(長さ方向)に１ｃｍおきに等間隔で引かれた目盛線６ａを有し、さらにこれに付随して、身長に対応するウォーキングステッキの最適な長さの目安となる数値ａとｂが表示されている。この場合、身長に対応するウォーキングステッキの最適な長さは、身長÷２＋２〜３ｃｍとされているので、それに合わせた目盛線６ａ上に身長の数値ａを表示し、その近傍にウォーキングステッキの長さの数値ｂを表示するようにしている。本例においては、１４０ｃｍから１７５ｃｍまで５センチ毎の身長の数値ａと、それに対応するウォーキングステッキの長さの数値ｂを表示してある。
【００１３】
このような目盛６を下部シャフト３に付して構成される本例のウォーキングステッキ１では、上部シャフト２の下端部２ａ(上部シャフト２から下部シャフト３が出る部分)に目盛線６ａを合わせるように下部シャフト３をスライドさせて伸縮調整を行うことにより、簡単かつ確実にウォーキングステッキ１の長さを使用者の身長に合った最適の長さに調整することができる。即ち、例えば使用者の身長が１７５ｃｍの場合、身長の数値ａが１７５ｃｍ、ウォーキングステッキの長さの数値ｂが９０ｃｍと表示されている部分の目盛線６ａを上部シャフト２の下端部２ａに合わせるように下部シャフト３をスライドさせて伸縮調整を行えば、ウォーキングステッキ１は使用者の身長に合った最適の長さである９０ｃｍの長さに調整されることになる。
【００１４】
さらに本例のウォーキングステッキ１においては、上部シャフト２に、身長に対応するウォーキングステッキの最適な長さの参考数値を表示した表示部７が設けられている。この表示部７の表示例を図３に示す。即ちこの表示部７には、１４０ｃｍから１８０ｃｍまで２ｃｍ刻みの身長と、それに対応するウォーキングステッキの最適な長さの参考数値(身長÷２＋２〜３ｃｍ)を記した一覧表が表示されている。
【００１５】
そしてウォーキングステッキの伸縮調整を行う際には、この表示部７の一覧表を参照して、自分の身長に対応するウォーキングステッキの最適な長さの参考数値を把握し、その長さに対応した目盛線６ａを上部シャフト２の下端部２ａに合わせるように下部シャフト３をスライドさせて伸縮調整を行えば、より正確にウォーキングステッキの長さを身長に合った最適の長さに調整することができる。
【００１６】
このように本例のウォーキングステッキ１は、その長さを簡単かつ確実に使用者の身長に合った最適の長さに調整することができるので、使用者にとってより使い易いウォーキングステッキを提供することができるものである。
【００１７】
なお、以上の如きウォーキングステッキ１における下部シャフト３の目盛６及び上部シャフト２の表示部７は、実施例で示した表示に限ることなく、その他にも種々の表示パターンを採用することが可能であることは言うまでもない。
【図面の簡単な説明】
【００１８】
【図１】本発明によるウォーキングステッキの側面図である。
【図２】下部シャフトに付される目盛の例である。
【図３】上部シャフトに表示される参考数値の表示部の例である。
【図４】従来のウォーキングステッキの側面図である。
【符号の説明】
【００１９】
１…ウォーキングステッキ
２…上部シャフト
３…下部シャフト
４…グリップ
６…目盛
７…参考数値の表示部
【図１】
2007082810.tif 000003
【図２】
2007082810.tif 000004
【図３】
2007082810.tif 000005
【図４】
2007082810.tif 000006